(57)【要約】【課題】複数の映像入力を自動的に最適化し、複数の信号入力を最適に配置、同時表示する表示装置を提供することを目的とする。【解決手段】第１の入力信号処理部３及び第２の入力信号処理部４からの出力を基に、フォーマット判別部５は、入力された映像信号のリサイズ率を算出し、第１の映像信号演算部６及び第２の映像信号演算部７は、フォーマット判別部５からのリサイズ率に基づき、最適な比率でリサイズを行い、映像合成部８は、第１の映像信号演算部６及び第２の映像信号演算部７の出力信号を合成し、表示デバイス９に出力するので、表示デバイス９には、複数の信号入力を最適比率で同時表示を行える。【選択図】図１
2011139249.tif 000002
【特許請求の範囲】
【請求項１】
少なくとも２つの入力映像信号が入力され、前記入力映像信号を合成し表示する表示装置であって、
前記入力映像信号を処理する少なくとも２つの入力信号処理部と、
前記入力信号処理部の出力を基に、前記入力映像信号のフォーマットを判別し、前記入力映像信号をリサイズする際の割合を算出するフォーマット判別部と、
前記フォーマット判別部が算出した割合に基づき、前記入力信号処理部の出力信号をリサイズする映像信号演算部と、
映像信号を表示する表示デバイスと、
前記映像信号演算部の出力信号を、前記表示デバイスの表示サイズに基づき合成し、前記表示デバイスに出力する映像合成部と、
を備える表示装置。
【請求項２】
少なくとも２つの表示デバイスを備える請求項１記載の表示装置。
【請求項３】
前記映像合成部で合成した信号を出力する信号出力部を、
さらに備える請求項１又は２に記載の表示装置。
【発明の詳細な説明】
【技術分野】
【０００１】
本発明は、アナログコンポーネント、ＳＤＩ、ＤＶＩ、ＨＤＭＩなど複数の映像入力端子を備えた表示装置に関するものである。
【背景技術】
【０００２】
近年の映像モニターでは入力端子の多様化が進み、特にＳＤＩ、ＤＶＩ、ＨＤＭＩ等デジタル入力端子を複数装備したモニターが標準化している。また、映像信号処理ＬＳＩの発展により、複数の入力端子の映像を同時に表示することも可能になってきている。しかしながら、入力端子が複数あるがゆえに、新たに入力端子に動作中の信号源を接続した場合や、すでに接続済みで動作していなかった信号源を起動した場合に、それら信号源の出力する映像信号を見るためには、映像モニターの入力切替の操作を手動で行い入力端子を表示選択する必要があった。
【０００３】
また、複数の入力端子の映像を同時に表示するモードの場合は、より一層複雑な操作を手動で行う必要があった。このような問題を解決するものとして、入力端子の信号の有無を検知し２画面表示モードに切り替えを行うもの（例えば、特許文献１参照）や、入力端子の信号の状態を記憶しておき、新たに入力された信号入力に切り替えるもの（例えば、特許文献２参照）などが開示されている。
【先行技術文献】
【特許文献】
【０００４】
【特許文献１】特開平７−１５４７１６号公報
【特許文献２】特開２００１−３４６１０１号公報
【発明の概要】
【発明が解決しようとする課題】
【０００５】
しかしながら、上記従来の構成では複数の入力端子より入力される様々な解像度を持つ映像信号（ＳＤ，ＨＤなど）を最適な比率で同時に表示することができず、高解像度の映像も低解像度の映像も同じ大きさ、もしくは固定比率でしか同時表示できないという課題を有していた。
【０００６】
本発明は上記従来の課題を解決するもので、複数の映像入力を自動的に最適化し、複数の入力信号を最適な比率で同時表示する表示装置を提供することを目的とする。
【課題を解決するための手段】
【０００７】
上記従来の課題を解決するため、少なくとも２つの入力映像信号が入力され、前記入力映像信号を合成し表示する表示装置であって、前記入力映像信号を処理する少なくとも２つの入力信号処理部と、前記入力信号処理部の出力を基に、前記入力映像信号のフォーマットを判別し、前記入力映像信号をリサイズする際の割合を算出するフォーマット判別部と、前記フォーマット判別部が算出した割合に基づき、前記入力信号処理部の出力信号をリサイズする映像信号演算部と、映像信号を表示する表示デバイスと、前記映像信号演算部の出力信号を、前記表示デバイスの表示サイズに基づき合成し、前記表示デバイスに出力する映像合成部と、を備える。
【発明の効果】
【０００８】
上記の構成の表示装置によれば、各入力端子の映像信号入力の有無およびフォーマットを自動認識し、入力信号数、フォーマットに応じて各信号の表示サイズを調整し、複数の入力信号を最適なサイズで同時表示できる。
【図面の簡単な説明】
【０００９】
【図１】実施の形態１における表示装置の構成を示すブロック図
【図２】実施の形態１における表示画面の一例を示す図
【図３】実施の形態２における表示装置の構成を示すブロック図
【図４】実施の形態３における表示装置の構成を示すブロック図
【図５】実施の形態３の変形例における表示装置の構成を示すブロック図
【発明を実施するための形態】
【００１０】
以下に、実施の形態について、図面を参照しながら説明する。
【００１１】
（実施の形態１）
図１は実施の形態１における表示装置の構成を示すブロック図である。表示装置は、第１の映像信号源１と第２の映像信号源２より映像信号が入力される。表示装置は、第１の入力信号処理部３と、第２の入力信号処理部４と、入力信号のフォーマットの判別及びリサイズ率を計算するフォーマット判別部５と、第１の入力信号処理部３からの映像信号をリサイズする第１の映像信号演算部６と、第２の入力信号処理部４からの映像信号をリサイズする第２の映像信号演算部７と、表示デバイス用の映像信号を出力する映像合成部８と、ＬＣＤ（Ｌｉｑｕｉｄ  Ｃｒｙｓｔａｌ  Ｄｉｓｐｌａｙ）等の表示デバイス９と、を含む。
【００１２】
第１の映像信号源１及び第２の映像信号源２は、ＢＤプレーヤー、ＣＳ・ＢＳチューナー、ムービカメラ、デジタルカメラなどＨＤ（Ｈｉｇｈ  Ｄｅｆｉｎｉｔｉｏｎ）、ＳＤ（Ｓｔａｎｄａｒｄ  Ｄｅｆｉｎｉｔｉｏｎ）等の映像信号を出力する機器である。第１の映像信号源１及び第２の映像信号源２は、映像信号を出力するものであれば、どのようなものであってもよい。また、映像信号は、ＨＤやＳＤに限定されず、どのような解像度で、どのような信号形式であってもよい。
【００１３】
第１の入力信号処理部３及び第２の入力信号処理部４は、それぞれ第１の映像信号源１及び第２の映像信号源２からの映像信号を受け、同期分離、ＡＤ変換、シリアル−パラレル変換、色空間変換、クロック再生等の処理を施し、同期信号、映像有効領域判別信号、デジタル映像信号をそれぞれ第１の映像信号演算部６及び第２の映像信号演算部７に出力する。また、第１の入力信号処理部３及び第２の入力信号処理部４は、フォーマット判別部５にも同期信号、インタレース・プログレッシブ判別信号、映像有効領域判別信号等を出力する。
【００１４】
フォーマット判別部５は、第１の入力信号処理部３及び第２の入力信号処理部４の出力信号より第１の映像信号源１及び第２の映像信号源２の映像信号フォーマットを判別してその総画素数からリサイズ率を算出し、その結果を第１の映像信号演算部６及び第２の映像信号演算部７に出力する。また、フォーマット判別部５は、第１の入力信号処理部３及び第２の入力信号処理部４の出力から、第１の映像信号源１及び第２の映像信号源２からの映像信号の有無、および表示装置が表示可能な信号か否かの判別を行い、第１の映像信号源１又は第２の映像信号源２の映像信号フォーマットが変わった場合はリサイズ率を再算出する。表示装置で表示できる映像信号の入力が１つの場合は、その表示可能な映像信号を表示デバイス９に最大表示する。
【００１５】
第１の映像信号演算部６及び第２の映像信号演算部７は、それぞれ第１の入力信号処理部３及び第２の入力信号処理部４の出力を、フォーマット判別部５からのリサイズ率に基づき、映像合成部８で合成できるようにリサイズを行う。リサイズ率は第１の映像信号源１及び第２の映像信号源２の映像信号フォーマットにより変化する。
【００１６】
映像合成部８は、第１の映像信号演算部６及び第２の映像信号演算部７の出力を表示デバイス９の画素数に合わせて合成し出力する。
【００１７】
表示デバイス９は、映像合成部８が出力する映像信号を表示する。表示デバイス９は、液晶ディスプレイに限定されず、プラズマディスプレイやブラウン管（ＣＲＴ）であってもよい。
【００１８】
図２は、第１の映像信号源１として１０８０／６０Ｐの映像信号が、第２の映像信号源２として７２０／６０Ｐの映像信号が入力された場合の、表示デバイス９に表示される表示画面の一例である。
【００１９】
上記映像信号が入力された場合の、表示装置の具体的な処理の流れを説明する。第１の入力信号処理部３に１０８０／６０Ｐの信号が入力され、第２の入力信号処理部４に７２０／６０Ｐの信号が入力される。第１の入力信号処理部３及び第２の入力信号処理部４は、それぞれ同期信号、映像有効領域判別信号及びデジタル映像信号を、第１の映像信号演算部６、第２の映像信号演算部７及びフォーマット判別部５に出力する。１０８０／６０Ｐは水平有効画素数１９２０、有効走査線数１０８０本であり、７２０／６０Ｐは水平有効画素数１２８０、有効走査線数７２０本である。この場合の２つの入力信号の画素数比率は１９２０×１０８０：１２８０×７２０＝９：４である。フォーマット判別部５はその画素数比率の２乗根をとり３：２という比率を算出する。
【００２０】
図２に示すように、表示デバイス９の表示可能画素数が１９２０×１０８０である場合には、フォーマット判別部５は、第１の映像信号源１からの信号入力には水平方向に１９２０＊３／５＝１１５２画素、第２の映像信号源２からの信号入力には水平方向に１９２０＊２／５＝７６８画素を割り当てると判定する。フォーマット判別部５は、第１の映像信号演算部６は第１の入力信号処理部３の信号出力の水平有効画素数、有効走査線数に対して１１５２／１９２０＝３／５、第２の映像信号演算部７は第２の入力信号処理部４の信号出力の水平有効画素数、有効走査線数に対して７６８／１２８０＝３／５のリサイズ処理を実施する。第１の映像信号演算部６及び第２の映像信号演算部７の出力は、映像合成部８で１９２０×１０８０の信号に合成され、表示デバイス９に算出した比率で同時表示される。縦横比率が１６：９同士の信号入力を例としているが、他の縦横比率の信号入力でも同様の計算を行い表示する。
【００２１】
かかる構成によれば、各入力端子の映像信号入力の有無およびフォーマットをフォーマット判別部５が認識し、適切なリサイズを実施することで入力信号数、フォーマットに応じて各信号の表示サイズを調整し、複数の信号入力をリサイズし同時表示できる。
【００２２】
（実施の形態２）
実施の形態２における表示装置は、３個以上の映像信号源から映像信号が入力され、入力信号処理部と映像信号演算部をそれぞれ３個以上備える構成である。図３は、実施の形態２における表示装置の構成を示すブロック図である。実施の形態１と同じ構成要素に関しては同一の名称を付与し、説明を省略する。
【００２３】
映像信号源として、第１の映像信号源１１から第Ｎの映像信号源１２（Ｎは３以上の整数）までのＮ個の映像信号源が存在する。
【００２４】
表示装置は、第１の入力信号処理部１３から第Ｎの入力信号処理部１４までのＮ個の入力信号処理部と、第１の映像信号演算部１６から第Ｎの映像信号演算部１７までのＮ個の映像信号演算部と、フォーマット判別部１５と、映像合成部１８と、表示デバイス１９と、を含む。
【００２５】
フォーマット判別部１５は、第１の入力信号処理部１３から第Ｎの入力信号処理部１４までのＮ個の出力信号より、第１の映像信号源１１から第Ｎの映像信号源１２までのＮ個の映像信号のフォーマットを判別し、それぞれの映像信号の総画素数からリサイズ率を算出し、その結果を第１の映像信号演算部１６から第Ｎの映像信号演算部１７までのＮ個の映像信号演算部に出力する。
【００２６】
映像合成部１８は、第１の映像信号演算部１６から第Ｎの映像信号演算部１７までのＮ個の映像信号演算部から出力されるＮ個の映像信号を、表示デバイス１９の画素数に合わせて合成し出力する。
【００２７】
かかる構成によれば、フォーマット判別部１５は、各入力端子の映像信号入力の有無およびフォーマットを認識し、適切なリサイズを実施することで入力信号数、フォーマットに応じて各信号の表示サイズを調整し、複数の信号入力をリサイズし同時表示できる。
【００２８】
（実施の形態３）
実施の形態３における表示装置は、３個以上の表示デバイスを備える構成である。図４は、実施の形態３における表示装置の構成を示すブロック図である。実施の形態１及び２と同じ構成要素に関しては同一の名称を付与し、説明を省略する。
【００２９】
表示装置は、第１の表示デバイス２９から第Ｎの表示デバイス３０までのＮ個の表示デバイスを含む。表示装置は、Ｎ個の表示デバイスを適切に配置し、Ｎ個の表示デバイスで一つの表示画面を構成する。例えば、１個の表示デバイスの表示可能画素数１９２０×１０８０で、表示デバイスを３個、横に並べて配置した場合、表示装置は、５７６０×１０８０の画素数の一つの表示画面を構成することができる。
【００３０】
映像合成部２８は、第１の映像信号演算部２６から第Ｎの映像信号演算部２７までのＮ個の映像信号演算部から出力されるＮ個の映像信号を、第１の表示デバイス２９から第Ｎの表示デバイス３０までのＮ個の表示デバイスで構成される一つの画面の画素数に合わせて合成し出力する。
【００３１】
なお、実施の形態１から３において、それぞれの表示デバイスの表示可能画素数を１９２０×１０８０としているが、その他の表示可能画素数のものを使用してもよい。
【００３２】
なお、実施の形態１から３において、表示デバイスを備える構成について説明したが、実施の形態３の一変形例として、図５に示すように、第１〜第Ｍ表示デバイス４９〜５０のかわりに第１〜第Ｐの信号出力端子５１〜５２を備えても良い。
【産業上の利用可能性】
【００３３】
本実施の形態にかかる表示装置は、各入力端子の映像信号入力の有無およびフォーマットを自動認識し、入力信号数、フォーマットに応じて各信号の表示サイズを調整し、複数の信号入力を最適化して同時表示できるので、複数の映像信号の確認を迅速に行うことができ医療、放送、編集分野の映像モニターとして有用である。
【符号の説明】
【００３４】
１、１１、２１、４１  第１の映像信号源
２  第２の映像信号源
３、１３、２３、４３  第１の入力信号処理部
４  第２の入力信号処理部
５、１５、２５、４５  フォーマット判別部
６、１６、２６、４６  第１の映像信号演算部
７  第２の映像信号演算部
８、１８、２８、４８  映像合成部
９、１９  表示デバイス
１２、２２、４２  第Ｎの映像信号源
１４、２４、４４  第Ｎの入力信号処理部
１７、２７、４７  第Ｎの映像信号演算部
２９、４９  第１の表示デバイス
３０  第Ｎの表示デバイス
５０  第Ｍの表示デバイス
５１  第１の信号出力端子
５２  第Ｐの信号出力端子
【図１】
2011139249.tif 000003
【図２】
2011139249.tif 000004
【図３】
2011139249.tif 000005
【図４】
2011139249.tif 000006
【図５】
2011139249.tif 000007